(57)【要約】【課題】  施工性に優れた温室の提供。【解決手段】  土台枠１と、骨組を構成するパイプ材２と、パイプ材固定具３とを備え、土台枠１は、地面に打ち込むアンカー５が係止するアンカー係止部６と、長手方向に設けてあり且つ内側に向けて開口するパイプ材下端部取付溝７とを有し、パイプ材下端部取付溝７は、上壁８に長手方向に所定間隔をおいてパイプ材貫通孔９を設けてあり、パイプ材固定具３は、略Ｕ字状部材１０とクサビ１１とで構成してあり、略Ｕ字状部材１０は、Ｕ字の対向片１２の各々にクサビ挿入部１３を有しており、パイプ材２下端部をパイプ材貫通孔９からパイプ材下端部取付溝７内に嵌めた略Ｕ字状部材１０に挿通し、クサビ１１をクサビ挿入部１３に挿入して略Ｕ字状部材の対向片１２同士を連結してある。【選択図】      図１
2005027576.tif 000002
【特許請求の範囲】
【請求項１】
土台枠と、骨組を構成するパイプ材と、パイプ材固定具とを備え、土台枠は、地面に打ち込むアンカーが係止するアンカー係止部と、長手方向に設けてあり且つ内側に向けて開口するパイプ材下端部取付溝とを有し、パイプ材下端部取付溝は、上壁に長手方向に所定間隔をおいてパイプ材貫通孔を設けてあり、パイプ材固定具は、略Ｕ字状部材とクサビとで構成してあり、略Ｕ字状部材は、Ｕ字の対向片の各々にクサビ挿入部を有しており、パイプ材下端部をパイプ材貫通孔からパイプ材下端部取付溝内に嵌めた略Ｕ字状部材に挿通し、クサビをクサビ挿入部に挿入して略Ｕ字状部材の対向片同士を連結してあることを特徴とする温室。
【発明の詳細な説明】
【技術分野】
【０００１】
本発明は、農業や園芸等に用いられる温室に関するものである。
【背景技術】
【０００２】
農業や園芸用の温室として、パイプで構成した骨組に被覆シートを被せた、いわゆるビニールハウスが盛んに利用されている。ハウスの組立は、まず地面に突き刺して立たせた二本の曲管パイプの先端をジョイント金具で繋げてアーチを作り、これをハウスの奥行き方向に５０ｃｍ程度の間隔で並べて複数設置し、それら複数のアーチを直管パイプで繋げて骨組を形成する。曲管パイプは、下端部を地中に６０ｃｍ程度差し込まねばならず、そのための深い穴を掘る作業がとても大変である。また、パイプを立設する位置や差し込み深さが正確でないと、ハウスの形がいびつとなってしまう。こうしたことから、ビニールハウスの組立は、経験がない人には困難であった。
【０００３】
そこで特許文献１には、チャンネル等の金属製形材から成る方形の土台枠を地面に設置し、これに骨組のパイプ材を立設するハウスの構築方法が提案されている。土台枠を構成する形材には、パイプ材を挿入して立たせるための筒状の挿着金具が、枠の外側に所定の間隔で溶接により予め取付けてあって、これにパイプ材を挿入してネジで固定することで、簡単にパイプ材を立設できる。また、パイプ材を正確な位置に立設するのが容易である。
【特許文献１】特開平１１−２８０２７号公報
【発明の開示】
【発明が解決しようとする課題】
【０００４】
しかし、各パイプ材をネジで固定する作業は煩雑であり、また、そのように挿着金具に差し込んでネジで止めただけでは、パイプ材の立設強度が十分でない場合があり、パイプ材下端部を１０ｃｍ程度は地中に差し込むようにしている。地盤が硬い所では、１０ｃｍ程度の深さであっても、予め穴を掘らずにパイプ材を差し込むのは容易ではない。また、挿着金具を土台枠の周囲に多数溶接取付しなければならないことから、土台枠の製作コストが高くなる問題があった。
本発明はこのような実情に鑑みてなされたものであって、施工性に優れた温室の提供を目的とする。
【課題を解決するための手段】
【０００５】
上記の課題を達成するために本発明の温室は、土台枠と、骨組を構成するパイプ材と、パイプ材固定具とを備え、土台枠は、地面に打ち込むアンカーが係止するアンカー係止部と、長手方向に設けてあり且つ内側に向けて開口するパイプ材下端部取付溝とを有し、パイプ材下端部取付溝は、上壁に長手方向に所定間隔をおいてパイプ材貫通孔を設けてあり、パイプ材固定具は、略Ｕ字状部材とクサビとで構成してあり、略Ｕ字状部材は、Ｕ字の対向片の各々にクサビ挿入部を有しており、パイプ材下端部をパイプ材貫通孔からパイプ材下端部取付溝内に嵌めた略Ｕ字状部材に挿通し、クサビをクサビ挿入部に挿入して略Ｕ字状部材の対向片同士を連結してあることを特徴とする。
【発明の効果】
【０００６】
本発明の温室は、土台枠にパイプ材下端部取付溝を有しており、そこにパイプ材下端部をパイプ材貫通孔から差し込み、パイプ材固定具を用いて簡便に且つ強固に固定できるから、簡単に堅牢な骨組を構築できる。土台枠は、長尺部材を切断して孔加工を施すだけで製作できるので、製作費が安価であり、さらに土台枠には、地面に打ち込むアンカーが係止するアンカー係止部を備えているので、穴を掘らなくても地面に強固に固定できる。また土台枠は、パイプ材下端部取付溝を枠の内側に開口して設けてあるので、外観が良好となる。
【発明を実施するための最良の形態】
【０００７】
以下、本発明に係る温室の実施形態を図面に基づいて説明する。この温室は、図５に示すように、方形に枠組みした土台枠１を地面１４に固定して設置し、土台枠１にパイプ材２（２ａ，２ｃ）を立設して骨組２２を構築し、骨組の上から被覆シート４を被せて構成するものである。この温室は、農家用の普通のビニールハウスと比べて大きさが小さく、家庭の庭先等に設置し、趣味で園芸や家庭菜園を楽しむのに好適なものとしてある。
【０００８】
土台枠１を構成する４本の枠材には、同一断面形状のアルミ押出し形材を使用している。各枠材は、図１に示すように、枠の内側に開口する断面略コ字状のパイプ材下端部取付溝７を長手方向に有しており、枠材の下壁は外周側にフランジ状に張り出し、その張り出し部６にはアンカー挿通孔１８を一定の間隔で空けてあり、アンカー挿通孔１８にアンカー５を打ち込んで土台枠を地面に固定している。枠材同士の連結は、図３に示すように、一方の枠材のパイプ材下端部取付溝７の上壁８と下壁１５に切り欠き１６を設けて他方の枠材の端面を突き当て、火打ち金具１７を各枠材の上壁８にボルトで固定して両枠材を連結している。パイプ材下端部取付溝７の上壁８には、骨組を構成するパイプ材２を上方から取付溝７内に差し込むためのパイプ材貫通孔９を、長手方向に５０ｃｍ程度の一定の間隔をおいて設けてある。パイプ材下端部取付溝７の下壁１５には、長手方向に二本の突条２４を平行に設けてあって、突条２４間にパイプ材２の下端部を配置している。パイプ材下端部取付溝７の起立壁１９の外面側には、被覆シート４の固定溝２０を有している。
【０００９】
パイプ材下端部取付溝７に挿入されたパイプ材２の下端部は、図４に示すような略Ｕ字状部材１０とクサビ１１とで構成されるパイプ材固定具３によって、図１及び図２に示すような形で固定してある。略Ｕ字状部材１０は、金属の板をＵ字状に折り曲げて形成したもので、上下方向の寸法は、パイプ材下端部取付溝７内に略嵌合する寸法となっている。また略Ｕ字状部材１０は、Ｕ字の対向片１２，１２の各々にクサビ挿入部１３，１３を有している。この略Ｕ字状部材１０を土台枠１の内側からパイプ材下端部取付溝７に嵌め、且つ略Ｕ字状部材の対向片１２，１２間にパイプ材２の下端部を挿通させ、対向片のクサビ挿入部１３に片側からクサビ１１を打ち込むことで、クサビ１１の斜面がパイプ材２を押圧し、略Ｕ字状部材１０とパイプ材２とクサビ１１とが互いに圧接し固定される。しかも略Ｕ字状部材１０がパイプ材下端部取付溝７に嵌まりこんでいるため、パイプ材２の下端部は、ぐらついたり抜けたりすることなく土台枠１に強固に固定される。なお、略Ｕ字状部材１０をパイプ材下端部取付溝７に嵌める作業は、パイプ材２をパイプ材下端部取付溝７に差し込む前に行ってもよいし、パイプ材を差し込んだ後に行ってもよい。
【００１０】
骨組２２は、間隔をおいて土台枠１に立設したアーチパイプ２ａと、アーチパイプ同士を上部で連結する連結パイプ２ｂと、妻面パイプ２ｃ，２ｄとで構成してある。図中の２１ａ，２１ｂ，２１ｃは、パイプ材同士を連結するジョイント金具である。各アーチパイプ２ａの下端部と、縦の妻面パイプ２ｃの下端部は、上記の構造により土台枠１に固定してある。アーチパイプ２ａは、Ｕ字形に曲げた一本のパイプであってもよいし、左右二本の曲管パイプを真ん中でジョイント金具で連結したものや、左右二本の直管パイプと円弧状パイプを連結して構成したものであってもよい。
【００１１】
被覆シート４を骨組２２上に張るのは、通常のビニールハウスと同じように行うことができる。その際、被覆シート４の下縁部は、土台枠１の外周面に設けた被覆シート固定溝２０にスプリング２３を介して固定される。スプリング２３は、図６に示すように、金属線材を凹凸が連続する矩形波状に曲げたものであって、スプリング２３の両端を引っ張ると上下の幅が狭まり、その状態で被覆シート固定溝２０内に挿入して係止させることにより、スプリング２３が被覆シート４を押さえて溝内に保持する。このように本実施形態に係る温室では、土台枠１の外周面に被覆シート固定溝２０を設けているため、被覆シート４と土台枠１との間に隙間が空くことがなく、温室の密閉性を高められる効果がある。
【００１２】
以上のように構成される温室の組立は、まず土台枠１を組み立てて地面にアンカー５で固定し、土台枠１のパイプ材下端部取付溝７にアーチパイプ２ａの下端部を差し込み、略Ｕ字状部材１０とクサビ１１を用いてアーチパイプ２ａの下端部を土台枠１に固定する。次に連結パイプ２ｂと妻面パイプ２ｃ，２ｄを取付けて骨組２２を完成させ、骨組２２に被覆シート４を被せ、被覆シート４の下縁部を被覆シート固定溝２０にスプリング２３で固定し、妻面に出入口（図示省略）を取り付けて完成する。アーチパイプ２ａの下端部は、地面に差し込むことなく略Ｕ字状部材１０とクサビ１１によって簡便に且つ強固に土台枠１に固定できるため、誰にでも簡単に短時間で温室を組み立てることができる。また本温室は、地面にパイプ材を差し込む穴を掘る必要がないので、コンクリート等で舗装してある場所にも設置できる。
【００１３】
本発明は以上に述べた実施形態に限定されるものではない。温室の大きさは特に限定されず、ベランダに設置できるような小さなものから、農家用のビニールハウスまで広く適用できる。略Ｕ字状部材は、断面コ字状の部材であってもよい。クサビは、略Ｕ字状部材のクサビ挿入部に嵌まり込み、抜けないようになってパイプ材を押圧し固定できるものであればよい。
【図面の簡単な説明】
【００１４】
【図１】土台枠にパイプ材を固定する構造を示す縦断面図である。
【図２】図１のＡ−Ａ面における横断面図である。
【図３】土台枠の角部の接合構造を示す分解斜視図である。
【図４】パイプ材固定具の分解斜視図である。
【図５】（イ）（ロ）  温室の正面図と側面図である。
【図６】被覆シート固定溝に取り付けるスプリングを示す図である。
【符号の説明】
【００１５】
１  土台枠
２，２ａ，２ｂ，２ｃ，２ｄ  パイプ材
３  パイプ材固定具
４  被覆シート
５  アンカー
６  張り出し部（アンカー係止部）
７  パイプ材下端部取付溝
８  上壁
９  パイプ材貫通孔
１０  略Ｕ字状部材
１１  クサビ
１２  対向片
１３  クサビ挿入部
【図１】
2005027576.tif 000003
【図２】
2005027576.tif 000004
【図３】
2005027576.tif 000005
【図４】
2005027576.tif 000006
【図５】
2005027576.tif 000007
【図６】
2005027576.tif 000008